(57)【要約】【課題】簡単な構成でありながら遮光幕の位置を正確に検知することができ、これにより、該遮光幕の初期位置を検知したと同時に駆動パルス信号をOFF（遮光幕を基板に吸引保持する状態）にして省電力化を図ることができるとともに、より高精度な絞り制御を実現して良好な画質での撮影を可能とする絞り装置を提供する。【解決手段】光束を通過させるための第１光学的開口４１ａ，４４ｂを有する第１及び第２基板４１，４４の片面側に、所定のピッチで電気的に分極された誘電体を形成した遮光幕４２を配置するとともに、該遮光幕４２を駆動させる帯状電極４４ａを第２基板４４に形成し、さらに、遮光幕４２の位置により通過状態又は遮蔽状態となる第２光学的開口４１ｂ，４４ｃを第１及び第２基板４１，４４に設けた構成としてある。【選択図】          図１０
2005309252.tif 000002
【特許請求の範囲】
【請求項１】
被写体から当該被写体像が結像する面に至るカメラの光学系に設けられ、当該被写体からの光量を制御する絞り装置であって、
前記被写体からの光束を通過させる第１の光学的開口と、前記被写体からの光束と異なる光束を通過させる第２の光学的開口とが形成された基板と、
前記基板上に設けられ、所定のピッチで形成された複数の帯状電極と、
前記基板上に配置されるとともに、所定のピッチで電気的に分極された誘電体を含み、前記帯状電極に印加された電圧により所定の方向に移動するものであって、前記第１の光学的開口を通過する光束を制限する絞りのための開口又は部位を有する遮光幕と、
を有し、
前記遮光幕がその移動する範囲内において所定の位置に達するときに前記遮光幕によって前記第２の光学的開口の状態が変化することを特徴とする絞り装置。
【請求項２】
前記第２光学的開口の状態を検出する光センサをさらに有することを特徴とする請求項１に記載の絞り装置。
【請求項３】
前記遮光幕がその移動する範囲内において所定の位置に達するときに、前記第２の光学的開口が遮蔽状態又は通過状態となることを特徴とする請求項１に記載の絞り装置。
【請求項４】
前記所定の位置は、前記遮光幕が前記第１の光学的開口から退避した、又は前記遮光幕に設けられた前記絞りのための開口又は部位が前記第１の光学的開口の中に進入した位置であることを特徴とする請求項１に記載の絞り装置。
【請求項５】
前記基板は、さらに、第１及び第２の光学的開口を通過する光束と異なる光束を通過させる第３の光学的開口を有することを特徴とする請求項１記載の絞り装置。
【請求項６】
前記第３の光学的開口を検出する光センサをさらに有することを特徴とする請求項５に記載の絞り装置。
【請求項７】
前記遮光幕がその移動範囲内において互いに異なる第１の位置と第２の位置に位置するときに、前記第２の光学的開口と前記第３の光学的開口それぞれの状態が異なることを特徴とする請求項５に記載の絞り装置。
【請求項８】
前記第１の位置に前記遮光幕が位置するときは、前記第２の光学的開口が遮蔽状態となるとともに前記第３の光学的開口が通過状態になり、
前記第２の位置に前記遮光幕が位置するときは、前記第２の光学的開口が通過状態となるとともに前記第３の光学的開口が遮蔽状態となることを特徴とする請求項７に記載の絞り装置。
【請求項９】
前記第１の位置は、前記遮光幕が前記第１の光学的開口から退避した位置であることを特徴とする請求項７に記載の絞り装置。
【請求項１０】
前記第２の位置は、前記遮光幕に設けられた前記絞りのための開口又は部位が前記第１の光学的開口の中に進入した位置であることを特徴とする請求項７に記載の絞り装置。
【請求項１１】
第１の遮光幕として、請求項１に記載の前記遮光幕に加えて、
前記第１の遮光幕が配置された基板上の面に沿って配置されるとともに、所定のピッチで電気的に分極された誘電体を含み、前記帯状電極に印加された電圧により所定の方向に移動する第２の遮光幕をさらに備えることを特徴とする請求項１に記載の絞り装置。
【請求項１２】
前記基板は、さらに、第１及び第２の光学的開口を通過する光束と異なる光束を通過させる第３の光学的開口を有することを特徴とする請求項１１に記載の絞り装置。
【請求項１３】
前記第２と第３の光学的開口の状態を検出する光センサをさらに有することを特徴とする請求項１２に記載の絞り装置。
【請求項１４】
前記第２の遮光幕がその移動範囲内において所定の位置に達するときに、前記第３の光学的開口の状態が変化することを特徴とする請求項１２に記載の絞り装置。
【請求項１５】
前記第２の遮光幕がその移動する範囲内において所定の位置に達するときに、前記第３の光学的開口が遮蔽状態又は通過状態となることを特徴とする請求項１４に記載の絞り装置。
【請求項１６】
前記第１の遮光幕は前記第３の光学的開口の状態を、前記第２の遮光幕は前記第２の光学的開口の状態を、変化させないように構成されていることを特徴とする請求項１４に記載の絞り装置。
【請求項１７】
前記第１の遮光幕は前記第３の光学的開口を、前記第２の遮光幕は前記第２の光学的開口をそれぞれ遮蔽しないための切欠きを有していることを特徴とする請求項１６に記載の絞り装置。
【請求項１８】
第１の基板として、請求項１に記載の前記基板に対して所定の間隙を有して対向する第２の基板をさらに備え、当該二つの基板は、前記遮光幕を挟んで設置されていることを特徴とする請求項１に記載の絞り装置。
【請求項１９】
前記第２の基板は、前記第１及び第２の光学的開口を通過する光束を透過又は通過させる部位を有することを特徴とする請求項１８に記載の絞り装置。
【請求項２０】
被写体から当該被写体像が結像する面に至るカメラの光学系に設けられ、当該被写体からの光量を制御する絞り装置であって、
前記被写体からの光束を通過させる第１の光学的開口と、前記被写体からの光束と異なる光束を通過させる第２の光学的開口とが形成された基板と、
前記基板上に設けられ、所定のピッチで形成された複数の帯状電極と、
前記基板上に配置されるとともに、所定のピッチで電気的に分極された誘電体を含み、前記基板上に帯状電極に印加された電圧により所定の方向に移動するものであって、前記第１の光学的開口を通過する光束を制限する絞りのための開口又は部位を有するＮ（Ｎ≧２）枚の遮光幕と、を有し、
前記遮光幕がその移動する範囲内において所定の位置に達するときに前記遮光幕によって前記第２光学的開口の状態が変化し、前記第２の光学的開口は少なくともＮ個以上あることを特徴とする絞り装置。
【請求項２１】
請求項１乃至２０に記載の何れかの絞り装置を搭載したことを特徴とするカメラ。
【発明の詳細な説明】
【技術分野】
【０００１】
本発明は、１又は２以上の遮光幕を静電力で駆動させるデジタルカメラ等の絞り装置に関し、特に、簡単な構成でありながら遮光幕の位置を正確に検知することができ、これにより、該遮光幕の初期位置を検知したと同時に駆動パルス信号をOFF（遮光幕を基板に吸引保持する状態）にして省電力化を図ることができるとともに、より高精度な絞り制御を実現して良好な画質での撮影を可能とする絞り装置及びカメラに関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録する電子カメラが広く普及している。
【０００３】
例えば、特開平８−２２０５９２号では、ステータ（基板）に帯状電極及び光学的開口を形成するとともに、該ステータに対向して高抵抗コーティング層を有するスライダ（遮光幕）を移動自在に設け、前記帯状電極に制御装置を接続して電圧を印加し、誘導電荷形アクチュエータの動作原理を用いて前記スライダを駆動させ、該スライダをシャッタ羽根として機能させたカメラのシャッタ装置が提案されている（その図１(a) 〜(c) 参照）。
【０００４】
また、その図２(a)，(b)及び図３には、ステータの表裏両面に帯状電極を形成し、該ステータの表裏両面に一枚ずつスライダを配置して光学的開口部を開閉させる二枚羽根のシャッタ装置が開示されている。
【特許文献１】特開平８−２２０５９２号公報（［実施例］，図１，図２及び図３）
【発明の開示】
【発明が解決しようとする課題】
【０００５】
ところが、特開平８−２２０５９２号の如き誘導電荷形アクチュエータを応用した絞り装置や、後述するような、エレクトレットの静電力を応用した絞り装置では、電源OFFの状態において遮光幕（絞り羽根）を一定の位置に保持することができないため、電源ONの状態にしたときに、前記遮光幕を初期位置(開又は閉状態)に戻す必要がある。
【０００６】
しかし、前記遮光幕がどの位置にあるか特定することができないため、従来は、前記遮光幕をフルストローク分移動させるだけの駆動パルス信号を出力して初期位置に戻していた。このため、必要以上に無駄な電力を消費するという問題があり、例えば、デジタルカメラやカメラ付携帯電話などのバッテリ容量の比較的少ない機器に当該絞り装置を搭載するには改良の余地がある。
【０００７】
また、近年、デジタルカメラ用撮像ユニットや携帯機器用撮像ユニットの小型化に伴って、絞り径も小径化が進んでいるが、開放から２段程度絞った状態で回折限界に近づいてしまい、それ以上絞り込むと画質に悪影響を及ぼすこととなる。これに対して、エレクトレットの静電力を応用した絞り装置では、帯状電極に印加する電圧の制御により比較的精度良く遮光幕の位置制御を行うことができるが、絞り径の小径化がさらに進めば、１ピッチ程度の送り誤差でも回折限界を超えてしまうおそれがあり、より高精度な絞り制御が要望されている。
【０００８】
本発明は上記問題点に鑑みてなされたものであり、簡単な構成でありながら遮光幕の位置を正確に検知することができ、これにより、該遮光幕の初期位置を検知したと同時に駆動駆動パルス信号をOFF（遮光幕を基板に吸引保持する状態）にして省電力化を図ることができるとともに、より高精度な絞り制御を実現して良好な画質での撮影を可能とする絞り装置及びカメラの提供を目的とする。
【課題を解決するための手段】
【０００９】
上記目的を達成するために、本発明に係る絞り装置は、被写体から当該被写体像が結像する面に至るカメラの光学系に設けられ、当該被写体からの光量を制御する絞り装置であって、前記被写体からの光束を通過させる第１の光学的開口と、前記被写体からの光束と異なる光束を通過させる第２の光学的開口とが形成された基板と、前記基板上に設けられ、所定のピッチで形成された複数の帯状電極と、前記基板上に配置されるとともに、所定のピッチで電気的に分極された誘電体を含み、前記帯状電極に印加された電圧により所定の方向に移動するものであって、前記第１の光学的開口を通過する光束を制限する絞りのための開口又は部位を有する遮光幕と、を有し、前記遮光幕がその移動する範囲内において所定の位置に達するときに前記遮光幕によって前記第２の光学的開口の状態が変化する構成としてある。
【００１０】
好ましくは、前記第２光学的開口の状態を検出する光センサをさらに有する構成、前記遮光幕がその移動する範囲内において所定の位置に達するときに、前記第２の光学的開口が遮蔽状態又は通過状態となる構成、前記所定の位置は、前記遮光幕が前記第１の光学的開口から退避した、又は前記遮光幕に設けられた前記絞りのための開口又は部位が前記第１の光学的開口の中に進入した位置である構成としてもよい。
【００１１】
好ましくは、前記基板は、さらに、第１及び第２の光学的開口を通過する光束と異なる光束を通過させる第３の光学的開口を有する構成、前記第３の光学的開口を検出する光センサをさらに有する構成、前記遮光幕がその移動範囲内において互いに異なる第１の位置と第２の位置に位置するときに、前記第２の光学的開口と前記第３の光学的開口それぞれの状態が異なる構成、前記第１の位置に前記遮光幕が位置するときは、前記第２の光学的開口が遮蔽状態となるとともに前記第３の光学的開口が通過状態になり、前記第２の位置に前記遮光幕が位置するときは、前記第２の光学的開口が通過状態となるとともに前記第３の光学的開口が遮蔽状態となる構成、前記第１の位置は、前記遮光幕が前記第１の光学的開口から退避した位置である構成、前記第２の位置は、前記遮光幕に設けられた前記絞りのための開口又は部位が前記第１の光学的開口の中に進入した位置である構成としてもよい。
【００１２】
好ましくは、第１の遮光幕として、請求項１に記載の前記遮光幕に加えて、前記第１の遮光幕が配置された基板上の面に沿って配置されるとともに、所定のピッチで電気的に分極された誘電体を含み、前記帯状電極に印加された電圧により所定の方向に移動する第２の遮光幕をさらに備える構成としてもよい。
【００１３】
好ましくは、前記基板は、さらに、第１及び第２の光学的開口を通過する光束と異なる光束を通過させる第３の光学的開口を有する構成、前記第２と第３の光学的開口の状態を検出する光センサをさらに有する構成、前記第２の遮光幕がその移動範囲内において所定の位置に達するときに、前記第３の光学的開口の状態が変化する構成、前記第２の遮光幕がその移動する範囲内において所定の位置に達するときに、前記第３の光学的開口が遮蔽状態又は通過状態となる構成、前記第１の遮光幕は前記第３の光学的開口の状態を、前記第２の遮光幕は前記第２の光学的開口の状態を、変化させない構成、前記第１の遮光幕は前記第３の光学的開口を、前記第２の遮光幕は前記第２の光学的開口をそれぞれ遮蔽しないための切欠きを有している構成としてもよい。
【００１４】
好ましくは、第１の基板として、請求項１に記載の前記基板に対して所定の間隙を有して対向する第２の基板をさらに備え、当該二つの基板は、前記遮光幕を挟んで設置されている構成、前記第２の基板は、前記第１及び第２の光学的開口を通過する光束を透過又は通過させる部位を有する構成としてもよい。
【００１５】
好ましくは、被写体から当該被写体像が結像する面に至るカメラの光学系に設けられ、当該被写体からの光量を制御する絞り装置であって、前記被写体からの光束を通過させる第１の光学的開口と、前記被写体からの光束と異なる光束を通過させる第２の光学的開口とが形成された基板と、前記基板上に設けられ、所定のピッチで形成された複数の帯状電極と、前記基板上に配置されるとともに、所定のピッチで電気的に分極された誘電体を含み、前記基板上に帯状電極に印加された電圧により所定の方向に移動するものであって、前記第１の光学的開口を通過する光束を制限する絞りのための開口又は部位を有するＮ（Ｎ≧２）枚の遮光幕と、を有し、前記遮光幕がその移動する範囲内において所定の位置に達するときに前記遮光幕によって前記第２光学的開口の状態が変化し、前記第２の光学的開口は少なくともＮ個以上ある構成としてもよい。
【００１６】
また、上記目的を達成するために、本発明のカメラは、請求項１乃至２０に記載の何れかの絞り装置を搭載した構成としてある。
【発明の効果】
【００１７】
本発明に係る絞り装置及びカメラによれば、基板に第２，第３光学的開口を形成するといった簡単な構成により、これら第２，第３光学的開口のいずれかの通過又は遮蔽に基づいて、前記基板上における遮光幕の位置を検知することができる。
【００１８】
これにより、光センサが遮光幕の初期位置を検知したと同時に駆動パルス信号をOFF（遮光幕を基板に吸引保持する状態）にして省電力化を図ることができる。また、これら第２，第３光学的開口のいずれかの通過又は遮蔽に基づいて遮光幕を正確に位置制御することができ、より高精度な絞り制御を実現することが可能となる。
【発明を実施するための最良の形態】
【００１９】
以下、本発明の実施形態に係る絞り装置及びカメラについて図面を参照しながら説明する。まず、本発明の絞り装置の前提となるエレクトレットの静電力を応用した基本構造及び駆動原理について、単一の遮光幕を備えたシャッタ装置を例示して説明する。
【００２０】
図１(a),(b) は、デジタルカメラの概略構成を示す図であり、同図(a) はデジタルカメラの前面からの外観を示す斜視図、同図(b) はデジタルカメラ内部の主要部の配置状態を示す斜視図である。
【００２１】
同図(a) に示すように、デジタルカメラ１は、前面右上隅に撮影レンズ窓２を備え、その左方にストロボ照射窓３を備えている。また、上面の左端部にはレリーズボタン４が設けてある。
同図(b) に示すように、デジタルカメラ１の内部は、全体の左方ほぼ２／３を占めて、各種の電子部品を搭載した回路基板５からなる制御装置や着脱交換自在な電池６などが配置してある。そして、その右方の全体のほぼ１／３を占める部分には、ユニット化されたレンズ装置７が配設してある。
【００２２】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２光軸Ｏ２に沿って、上記の入射光束を、レンズ装置７の下端部に配設した、例えばＣＣＤなどからなる撮像素子まで導いて撮像画像を生成する。
【００２３】
図２は、図１(b) に示すレンズ装置７のＡ−Ａ´矢視断面をデジタルカメラ１の図１(b) の左方から見た図である。同図は被写体から当該被写体像が結像する面に至るカメラの光学系うち、レンズユニット各部の概略の構成を示している。
図１(b) に示したレンズ装置７の内部には、図２に示すように、上記下方に折り曲げられた第２光軸Ｏ２に沿って、第１固定鏡枠部８にレンズ群を保持した第１固定レンズ部９と、第１移動鏡枠１１にレンズ群を保持した第１移動レンズ部１２と、第２移動鏡枠１３にレンズ群を保持した第２移動レンズ部１４と、第３移動鏡枠１５にレンズを保持した第３移動レンズ部１６と、第２固定鏡枠部１７にレンズを保持した第２固定レンズ部１８と、これらのレンズ部の終端に配置した撮像素子１９とで構成してある。
【００２４】
上記第１移動レンズ部１２及び第２移動レンズ部１４は、レンズ装置７の光学系の第２光軸Ｏ２に沿って入射する被写体の光束の焦点距離を変化させる、つまりズーム比調節用に設けてあり、第３移動レンズ部１６は、上記の光束が撮像素子１９上に結像する焦点調節のために設けてある。そして、上記第１移動レンズ部１２と第２移動レンズ部１４の間には、シャッタ位置（絞り位置でもある）２０が設けてある。
【００２５】
図３(a) は、図１(b) に示したレンズ装置７をデジタルカメラ１の図１(b) の背面側から見た拡大斜視図であり、図３(b) はそのシャッタ装置を単独に示す図、図３(c) は撮像素子を単独に示す図である。
【００２６】
図３(a) に示すように、レンズ装置７には、図２に示したシャッタ位置（絞り位置）２０にシャッタ装置２１が組み込まれている。シャッタ装置２１は、図３(b) に示すように、長辺ａと短辺ｂからなる矩形の平らな板状体をなす装置であり、第２光軸Ｏ２の通過路となる光学的開口２２と、この光学的開口２２に長辺ａ方向に隣接する退避部２３を有している。
【００２７】
このシャッタ装置２１の光学的開口２２を通過する第２光軸Ｏ２の終端、すなわち、レンズ装置７の下端部には、図２にも示した撮像素子１９が配置してある。この撮像素子１９も、長辺ａ´と短辺ｂ´からなる矩形の受光面２４を有している。
【００２８】
図４は、上記シャッタ装置２１の分解斜視図である。同図に示すシャッタ装置２１は、図の下から示す第１基板２５，間隔維持部材２６，遮光幕２７，第２基板２８とで構成してある。遮光幕２７には、図では定かに見えないが予め所望のピッチで電気的に分極されたエレクトレット（図６の符号３３参照）を備えている。このような遮光幕２７を駆動させるために、第１基板２５には、光学的開口２９と周辺部を除く全面に複数の帯状電極３１が形成してある。第２基板２８は、第１基板２５との間に遮光幕２７を移動可能に保持するためのものであり、間隔維持部材２６は、第１及び第２基板２５，２８の間隔を維持するためのものである。
【００２９】
次に、本例のシャッタ装置２１における遮光幕２７の駆動原理について説明する。図５(a),(b) は、本発明のシャッタ装置における遮光幕の駆動原理を説明する図である。なお、以下に述べる駆動原理の説明では、第１基板２５に代えて固定子２５といい、遮光幕２７に代えて移動子２７ということにする。
【００３０】
本例のシャッタ装置２１は、基本的に固定子２５と移動子２７とを備え、移動子２７は、固定子２５に対して同図(a),(b) に示すように左右方向に移動自在となっている。そして、固定子２５には、被写体からの光像を撮像素子（図２、図３の撮像素子１９参照）に導くための開口部（光学的開口２９）が設けてあり、さらに、複数の帯状電極（駆動電極）３１が所定の間隔で並設してある。他方の移動子２７は、遮光性を有する部材からなり、永久分極された誘電体の部位を備えている。このような誘電体は一般にエレクトレットと呼ばれている。
【００３１】
エレクトレットとは、電気を通しにくい、例えば、テフロン（登録商標）、ポリプロピレン、マイラーなどの高分子材料を加熱溶融し、これに直流の高電圧を加えながら電極の間で固化させた後、電極を取り去ると、電極に接していた面が正または負に帯電し、これらの分極（正と負の電気に分かれた状態）が半永久的に保持されているもののことを称する用語である。
【００３２】
上記シャッタ装置２１において、帯状電極３１に正負の電圧を周期的に印加すると、帯状電極３１と移動子２７の前記エレクトレットとの間に吸引力又は反発力が発生し、結果的に移動子２７が固定子２５に対して相対移動する。
【００３３】
したがって、移動子２７が固定子２５の光学的開口２９を開放又は遮蔽するように移動可能にすることによってシャッタ機構を構成することができる。図５(a) はシャッタが開の状態を示し、同図(b) はシャッタが閉の状態を示している。以下、本構成に係るシャッタ機構を「エレクトレットシャッタ」と称することにする。
【００３４】
なお、固定子２５の光学的開口２９は、必ずしも貫通孔のような物理的な開口部とする必要はなく、固定子２５を透過部材とし、開口部に相当する位置に帯状電極３１を設けていない透過領域を形成するようにしてもよい。この意味で、「通過」の語は光学的に広い意味を有し、「透過」を含むものとする。
【００３５】
図６は、エレクトレットシャッタとその駆動回路を模式的に示す図である。同図は右にエレクトレットシャッタの断面を模式的に示し、左に駆動回路をブロック図で示している。同図に示すように、固定子２５に並設した複数の帯状電極３１には、駆動回路３２からの電圧信号線がそれぞれ接続してある。該電圧信号線に４相の電圧信号を印加することにより、帯状電極３１の四本毎に同一の電圧信号を印加している。図６では、帯状電極３１にＡ、Ｂ、Ｃ、Ｄの符号を付してこの電圧信号を区別している。
【００３６】
固定子２５の帯状電極３１の配設面に対向して移動子２７が配置してある。移動子２７には、固定子２５との対向面に永久分極された上述した誘電体（エレクトレット）３３を複数備えている。
【００３７】
同図の左に示す駆動回路３２では、パルス発生回路３４が矩形波列（駆動パルス信号）を生成し、該駆動パルス信号を昇圧回路３５と位相器３６に出力する。昇圧回路３５は、入力した駆動パルス信号を１００Ｖ程度まで昇圧するとともに、２つの極性を有する電圧信号に分岐して帯状電極Ａ及びＣに出力する。
【００３８】
他方、位相器３６は、入力した駆動パルス信号を９０°位相が遅れた波形として昇圧回路３５に出力する。その後、昇圧回路３５が、該駆動パルス信号を入力して、上述と同様の２つの極性を有する電圧信号に分岐して帯状電極Ｂ及びＤに出力する。
【００３９】
図７は、駆動回路３２によって生成されて帯状電極３１に印加される電圧信号列を示す図である。帯状電極３１の電圧の状態は、期間Ｔにおけるｔ１〜ｔ４の４つの状態変化が時間ｔにおける期間Ｔごとの経過に対応して繰り返される。
【００４０】
図８は、前記エレクトレットシャッタの動作を説明する図である。同図(a) は図７において各帯状電極Ａ，Ｂ，Ｃ，Ｄの電圧状態が、図７に示したｔ１の印加電圧の状態に切り替った直後のエレクトレットと帯状電極との対応関係を示している。
【００４１】
エレクトレット３３ａは、帯状電極Ａから反発力を受け、帯状電極Ｂから吸引力を受ける。また、エレクトレット３３ｂは、帯状電極Ｃから反発力を受け、帯状電極Ｄから吸引力を受ける。このため、移動子２７は図の右方向に力を受けて、１つの帯状電極ピッチｄだけ移動する。
【００４２】
図８(b) は、上記に続いて図７に示したｔ２の印加電圧の状態に切り替った直後のエレクトレットと駆動電極との対応関係を示している。エレクトレット３３ａは、帯状電極Ｂから反発力を受け、帯状電極Ｃから吸引力を受ける。また、エレクトレット３３ｂは、帯状電極Ｄから反発力を受け、帯状電極Ａから吸引力を受ける。このため、移動子２７は図の右方向に力を受けて、再び１つの帯状電極ピッチｄだけ移動する。
【００４３】
図８(c) は、上記に続いて図７に示したｔ３の印加電圧の状態に切り替った直後のエレクトレットと帯状電極との対応関係を示し、図８(d) は、同図(c) に続いて図７に示したｔ４の印加電圧の状態に切り替った直後のエレクトレットと帯状電極との対応関係を示している。図８(a),(b) で説明した動作と同様に、移動子２７は、１つの帯状電極ピッチｄだけ順次移動する。
【００４４】
そして、この動作が繰り返されることにより、移動子２７は図の右方向に移動する。なお、移動子２７を図の左方向に移動するためには、帯状電極３１に印加する電圧の極性を逆に切り替えればよい。
【００４５】
このように、移動子２７は、それ自体が半永久的な分極帯電部を備えているので、例えば、誘導電荷形アクチュエータのように、電圧印加、電荷蓄電及び静電誘導を繰り返す手数と時間を要することなく、単に駆動電圧の印加だけで移動子を迅速に駆動することができる。
【００４６】
次に、本発明の第１実施形態に係る絞り装置ついて、図９〜図１１を参照しつつ説明する。図９は本発明の第１実施形態に係る絞り装置を示す斜視図であり、図１０は図９に示す本絞り装置の分解斜視図である。図１１（ａ），（ｂ）は本絞り装置における遮光幕の位置検知の説明図である。
【００４７】
図９及び図１０において、本実施形態に係る絞り装置４０は、例えば、デジタルカメラ用撮像ユニットや携帯機器用撮像ユニットに用いられ、第１基板４１，遮光幕４２，間隔維持部４３，第２基板４４，光センサ（フォトインタラプタ）４５で構成してある。そして、第１及び第２基板４１，４４は、間隔維持部４３を介して遮光幕４２を挟んで設置してある。
【００４８】
第１基板４１は、被写体からの光束を通過させる第１光学的開口４１ａを形成した板状部材であり、遮光幕４２の光軸方向の移動を規制する押さえ板の役割を果たすものである。したがって、該遮光幕４２を駆動させるための帯状電極は形成していない。
【００４９】
また、本実施携帯では、該第１基板４１の左下コーナ部に第２光学的開口４１ｂが形成してある。該第２光学的開口４１ｂは、被写体からの光束と異なる光束を通過させるためのものであり、第１光学的開口４１ａと同様に、必ずしも貫通孔のような物理的開口部に限らず、例えば、第１基板４１を透過部材とし、該第２光学的開口４１ｂに相当する部分以外を塗装することによって透過領域とした構成としてもよいことは上述の通りである。
【００５０】
遮光幕４２は、図５又は図８で説明した移動子２７に相当するものであるが、該移動子２７と異なり、その中央に、前記第１基板４１の第１光学的開口４１ａより直径の小さい絞り開口４２ａが形成してある。該絞り開口４２ａは、第１光学的開口４１ａを通過する光束を制限する絞りであり、これら二つの開口を選択することにより、絞りを二段階に調整可能となっている。また、遮光幕４２は、その内部に永久分極された前記誘電体（エレクトレット）を複数備えている（図示せず）。
【００５１】
間隔維持部４３は、第１及び第２基板４１，４４相互の間隔を維持するために設けた矩形枠状部材であり、遮光幕４２よりも若干大きい厚みを有している。これにより、間隔維持部４３は、第１及び第２基板４１，４４の相互間において微少な間隙を形成し、遮光幕４２を進行方向に移動可能に保持している。
【００５２】
第２基板４４は、図５又は図８で説明した固定子２５に相当するものであり、その表面に遮光幕４２を駆動させるための帯状電極４４ａが形成してあるとともに、その中央右側に矩形の第１光学的開口４４ｂが形成してある。但し、本実施携帯では、上述した固定子２５と異なり、該第２基板４４の左下コーナ部に第２光学的開口４４ｃが形成してある。該第２光学的開口４４ｃは、本絞り装置４０を組み立てたときに、前記第１基板４１の第１光学的開口４１ｂと一致して、第１及び第２基板４１，４４を貫く通過窓を形成する。
【００５３】
光センサ４５は、略凹字状となっており、スリットを介して発光部４５ａと受光部４５ｂを互いに対向させた状態で一体化した構成としてある。該光センサ４５は、図９に示すように、組み立てた第１及び第２基板４１，４４の左下コーナ部に取り付け、発光部４５ａと受光部４５ｂの間に第２光学的開口４１ｂ，４４ｃを配置して、該第２光学的開口４１ｂ，４４ｃの通過状態又は遮蔽状態、すなわち、遮光幕４２の位置を検知することができる。
【００５４】
詳述すると、例えば、図１１（ａ）を遮光幕４２の初期位置とした場合、第２光学的開口４１ｂ，４４ｃが遮光幕４２により遮られ、該遮蔽状態を光センサ４５が検知する。一方、図１１（ｂ）に示すように、遮光幕４２を第１基板４１の右側に移動させることにより、第２光学的開口４１ｂ，４４ｃが通過状態となり、光センサ４５がこれを検知する。
【００５５】
なお、本実施形態における「通過状態」とは、第２光学的開口４１ｂ，４４ｃが開放され、光路が開かれた状態をいい、「遮蔽状態」とは、第２光学的開口４１ｂ，４４ｃが遮光幕４２により遮られ、光路が閉じられた状態をいうものとする。
【００５６】
このような本実施形態に係る光量制御装置４０によれば、第１及び第２基板４１，４４にそれぞれ第２光学的開口４１ｂ，４４ｃを形成するといった簡単な構成により、該第２光学的開口４１ｂ，４４ｃの通過又は遮蔽に基づいて、遮光幕４２の初期位置を検知することができる。これにより、光センサ４５が遮光幕４２の初期位置（本実施形態では退避位置）を検知したと同時に駆動パルス信号をOFF（遮光幕を基板に吸引保持する状態）にして省電力化を図ることができる。
【００５７】
なお、図１１（ａ），（ｂ）では、第２光学的開口４１ｂ，４４ｃに配置した光センサ４５によって、遮光幕４２の絞り開口４２ａが第１光学的開口４１ａから退避した状態を検出する構成としたが、これとは逆に、絞り開口４２ａが第１光学的開口４１ａの中に進入した状態を検出する構成としてもよい。
【００５８】
さらに、本実施形態では、第２光学的開口４１ｂ，４４ｃの完全通過状態（光束を全て通過又は透過させる完全開放の状態）と、完全遮蔽状態（光束を全て遮る完全遮蔽の状態）とを光センサ４５によって検出しているが、これら完全通過，完全遮蔽に限定されるものではない。すなわち、光センサ４５によって遮光幕４２が第１光学的開口４１ａから退避しているか、進入しているか（退避している以外の状態か）を検出することができればよいので、例えば、完全通過，完全遮蔽ではなく、遮光幕４２の位置により第２光学的開口４１ｂ，４４ｃが一部通過，一部遮蔽となった状態を光センサ４５によって検知してもよいし、また、遮光幕４２の、第２光学的開口４１ｂ，４４ｃを遮る部分に色フィルタ等を取り付けて透過光の波長特性を変化させ、これを光センサ４５などの光学的検出手段で検出することにより、遮光幕４２の位置の特定が可能となり、本実施形態と同様の作用効果を期待することができる。
【００５９】
次に、本発明の第２実施形態に係る絞り装置ついて、図１２及び図１３を参照しつつ説明する。図１２は本発明の第２実施形態に係る絞り装置を示す斜視図であり、図１３は図１２に示す本絞り装置の光センサを省略した分解斜視図である。
【００６０】
これら図面において、本実施形態に係る絞り装置５０は、第１基板５１，第１間隔維持部５２，第１遮光幕５３，第２基板５４，第２遮光幕５５，第２間隔維持部５６，第３基板５７，２組の光センサ５８Ａ，５８Ｂ、５９Ａ，５９Ｂで構成してある。
【００６１】
第１基板５１は、上述した第１実施形態における第１基板４１（図１０参照）と同様、第１光学的開口５１ａを形成した板状部材であり、第１遮光幕５３の光軸方向の移動を規制する押さえ板の役割を果たし、したがって、該第１遮光幕５３を駆動させるための帯状電極は形成していない。但し、第１実施形態とは異なり、本実施形態における第１基板５１では、その左下及び左上コーナ部のそれぞれに、第２及び第３光学的開口５１ｂ，５１ｃが形成してある。第３光学的開口５１ｃは、第１及び第２光学的開口５１ａ，５１ｂを通過する光束と異なる光束を通過させる。
【００６２】
第１間隔維持部５２は、第１及び第２基板５１，５４相互の間隔を維持するために設けた矩形枠状部材であり、第１及び第２基板５１，５４の相互間において微少な間隙を形成し、第１遮光幕５３を進行方向に移動可能に保持している。
【００６３】
第１遮光幕５３は、上述した第１実施形態における遮光幕４２（図１０参照）と同様、その中央に、前記第１基板５１の第１光学的開口５１ａより直径の小さい絞り開口５３ａが形成してあり、第２基板５４との対向面である裏面に、永久分極された前記誘電体（エレクトレット）を複数備えている（図示せず）。但し、第１実施形態とは異なり、本実施形態における第１遮光幕５３では、その左上コーナ部に、前記第１基板５１の第３光学的開口５１ｃに対応する切欠部５３ｂが形成してある。
【００６４】
第２基板５４は、上述した第１実施形態における第２基板４４（図１０参照）と同様、その表面に第１遮光幕５３を駆動させるための帯状電極５４ａが形成してあるとともに、その中央右側に矩形の第１光学的開口５４ｂが形成してある。
【００６５】
但し、第１実施形態とは異なり、本実施形態における第２基板５４では、その左下及び左上コーナ部のそれぞれに、第２及び第３光学的開口５４ｃ，５４ｄが形成してある。これら、第２及び第３光学的開口５４ｃ，５４ｄは、前記第１基板５１の第２及び第３光学的開口５１ｂ，５１ｃに対応し、また、第３光学的開口５４ｄは、前記第１遮光幕５３の切欠部５３ｂにも対応している。
【００６６】
第２遮光幕５５は、前記第１遮光幕５３とほぼ同様の構成となっているが、該第１遮光幕５３の光学的開口５３ａよりもさらに直径の小さい絞り開口５５ａが形成してある。また、第２遮光幕５５の左下コーナ部には、第１及び第２基板５１，５４の第２光学的開口５１ｂ，５４ｃに対応する切欠部５５ｂが形成してある。
【００６７】
第２間隔維持部材５６は、第２及び第３基板５４，５７相互の間隔を維持するために設けた矩形枠状部材であり、前記第１間隔維持部５２と同様、第２及び第３基板５４，５７の相互間において微少な間隙を形成し、第２遮光幕５５を進行方向に移動可能に保持している。
【００６８】
第３基板５７は、上述した第２基板５４と同様、その表面に第２遮光幕５５を駆動させるための帯状電極５７ａが形成してあるとともに、その中央右側に矩形の第１光学的開口５７ｂが形成してある。また、該第３基板５７の左下及び左上コーナ部のそれぞれには、第２及び第３光学的開口５７ｃ，５７ｄが形成してある。これら、第２及び第３光学的開口５７ｃ，５７ｄは、前記第１及び第２基板５１，５４の第２及び第３光学的開口５１ｂ，５１ｃ及び５４ｃ，５４ｄに対応し、また、第２光学的開口５７ｃは、前記第２遮光幕５５の切欠部５５ｂにも対応している。
【００６９】
図１２に示すように、本絞り装置５０の最外層を構成する第１及び第３基板５１，５７の各第２及び第３光学的開口５１ｂ，５１ｃ及び５７ｃ，５７ｄには、それぞれ光センサ５８Ａ，５８Ｂ及び５９Ａ，５９Ｂが取り付けてある。これらのうち、光センサ５８Ａ，５９Ａは発光部、光センサ５８Ｂ，５９Ｂは受光部となっている。
【００７０】
上記構成からなる本絞り装置５０によれば、第１及び第２遮光幕５３，５５が、その移動範囲内において互いに異なる第１の位置と第２の位置に位置するときに、第２及び第３光学的開口５１ｂ，５１ｃ及び５７ｃ，５７ｄそれぞれの状態が異なるので、光センサ５８Ａ，５８Ｂにより第１遮光幕５３の位置を、また、光センサ５９Ａ，５９Ｂにより第２遮光幕５５の位置をそれぞれ個別に検知することができる。
【００７１】
すなわち、第１遮光幕５３を左側に退避させると、第２光学的開口５１ｂ，５４ｃ，５７ｃが該第１遮光幕５３によって遮られ、この遮蔽状態を光センサ５８Ａ，５８Ｂが検知する。このとき、第２遮光幕５５には、これら第２光学的開口５１ｂ，５４ｃ，５７ｃに対応する切欠部５５ｂが形成してあるので、光センサ５８Ａ，５８Ｂが、左側に退避した第２遮光幕５５を検知してしまうことはない。
【００７２】
一方、第２遮光幕５５を左側に退避させると、第３光学的開口５１ｃ，５４ｄ，５７ｄが該第２遮光幕５５により遮られ、この遮蔽状態を光センサ５９Ａ，５９Ｂが検知する。このとき、第１遮光幕５３には、これら第３光学的開口５１ｃ，５４ｄ，５７ｄに対応する切欠部５３ｂが形成してあるので、光センサ５９Ａ，５９Ｂが、左側に退避した第１遮光幕５３を検知してしまうことはない。
【００７３】
このような本実施形態の光量制御装置５０によれば、第１〜第３基板５１，５４，５７に第２及び第３光学的開口５１ｂ，５４ｃ，５７ｃ及び５１ｃ，５４ｄ，５７ｄを形成するとともに、第１及び第２遮光幕５３及び５６に切欠部５３ｂ，５５ｂを形成するといった簡単な構成により、これら第１及び第２遮光幕５３及び５６の初期位置（退避位置）を個別に検知することができ、該初期位置の検知と同時に駆動パルス信号をOFF（遮光幕を基板に吸引保持する状態）にして省電力化を図ることができる。
【００７４】
次に、本発明の第３実施形態に係る絞り装置ついて、図１４及び図１５を参照しつつ説明する。図１４は本発明の第３実施形態に係る絞り装置を示す分解斜視図であり、図１５（ａ），（ｂ）は本絞り装置における遮光幕の位置検知の説明図である。
【００７５】
図１４において、本実施形態の絞り装置６０は、第１基板６１，第１遮光幕６２，第２遮光幕６３，間隔維持部６４，第２基板６５，４組の光センサ６６Ａ，６６Ｂ、６７Ａ，６７Ｂ、６８Ａ，６８Ｂ、６９Ａ，６９Ｂで構成してある。
【００７６】
第１基板６１は、上述した第１及び第２実施形態における第１基板４１，５１（図１０及び図１３参照）と同様の第１光学的開口６１ａを有しているが、その裏面に、第１遮光幕６２を駆動させるための図示しない帯状電極が形成してある点で異なっている。
【００７７】
また、該第１基板６１の左下コーナ部には第２光学的開口６１ｂ、中央右下部には第３光学的開口６１ｃ、右上コーナ部には第４光学的開口６１ｄ、中央右上部には第５光学的開口６１ｅが形成してある。第１基板６１下部の第２及び第３光学的開口６１ｂ，６１ｃは、それぞれ第１遮光幕６２の位置を検知するためのもの、第１基板６１上部の第４及び第５光学的開口６１ｄ，６１ｅは、それぞれ第２遮蔽幕６３の位置を検知するためのものである。
【００７８】
第１及び第２遮光幕６２，６３は、上述した第１及び第２実施形態における遮光幕４２，５３，５５（図１０及び図１３参照）と異なり、互いに対称的な略く字状又は逆く字状の部位を有している。これら略く字状又は逆く字状の部位は、第１光学的開口６１ａを通過する光束を制限する絞りのためのものであり、これら略く字状又は逆く字状の部位を重ね合わせることにより、所定径の絞り開口を形成することができる。
【００７９】
また、第１遮光幕６２の上部には、前記第１基板６１の第５光学的開口６１ｅに対応する切欠部６２ａが、第２遮光幕６３の下部には、前記第１基板６１の第３光学的開口６１ｃに対応する切欠部６３ａが形成してある。
【００８０】
なお、第１及び第２実施形態と同様、第１遮光幕６２の表面及び第２遮光幕６３の裏面には、永久分極された前記誘電体（エレクトレット）が複数形成してある（図示せず）。
【００８１】
間隔維持部６４は、矩形枠状体の上下部分６４Ａ，６４Ａにそれぞれレール状の突起部６４Ｂ，６４Ｂを一体成形した構成となっており、上下部分６４Ａ，６４Ａで第１遮光幕６２を進行方向にガイドするとともに、突起部６４Ｂ，６４Ｂで第２遮光幕６３を進行方向にガイドする。
【００８２】
第２基板６５は、帯状電極６５ａと矩形の第１光学的開口６５ｂを有するとともに、第１基板の第２〜第５光学的開口６１ｂ〜６１ｅに対応する第２，第３，第４及び第５光学的開口６５ｃ，６５ｄ，６５ｅ，６５ｆが形成してある。
【００８３】
そして、上述した第１基板６１，第１遮光幕６２，第２遮光幕６３，間隔維持部６４，第２基板６５を組み立てたとき、互いに対応する第２光学的開口６１ｂ，６５ｃにはそれぞれ光センサ６６Ａ，６６Ｂが、第３光学的開口６１ｃ，６５ｄにはそれぞれ光センサ６７Ａ，６７Ｂが、第４光学的開口６１ｄ，６５ｅにはそれぞれ光センサ６８Ａ，６８Ｂが、第５光学的開口６１ｅ，６５ｆにはそれぞれ光学センサ６９Ａ，６９Ｂが取り付けてある。
【００８４】
第１基板６１の第２〜第５光学的開口６１ｂ〜６１ｅに取り付けた光センサ６６Ａ〜６９Ａは発光部、第２基板６５の第２〜第５光学的開口６５ｃ〜６５ｆに取り付けた光センサ６６Ｂ〜６９Ｂは受光部となっている。
【００８５】
上記構成の本絞り装置６０では、カメラの電源をONにすると、駆動パルス信号が出力され、図１５（ａ）に示すように、第１及び第２遮光幕６２，６３が退避状態（開放状態）となる。すると、第１遮光幕６２によって第２光学的開口６１ｂ，６５ｃが遮られるとともに、第２遮光幕６３によって第４光学的開口６１ｄ，６５ｅが遮られ、該遮断状態を光センサ６６Ａ，６６Ｂ及び６８Ａ，６８Ｂが検知する。このときの検知信号に基づいて駆動パルス信号が停止され、第１及び第２遮光幕６２，６３を吸引状態にして保持する。
【００８６】
次いで、被写体の明るさに応じて所定の絞りで撮影を行う場合に、第１及び第２遮光幕６２，６３を光軸方向に駆動させ、第１及び第２遮光幕６２，６３の前記略く字状又は逆く字状の部位が第１光学的開口６１ａの中に進入すると、図１５（ｂ）に示すように、第１遮光幕６２の下部先端によって第３光学的開口６１ｄ，６５ｅが遮られるとともに、第２遮光幕６３の上部先端によって第５光学的開口６１ｅ，６５ｆが遮られ、該遮断状態を光センサ６７Ａ，６７Ｂ及び６９Ａ，６９Ｂが検知する。
【００８７】
このときの検知信号に基づいて駆動パルス信号が停止され、第１及び第２遮光幕６２，６３を第１及び第２基板６１，６５に吸引状態にして保持し、撮影を行う。撮影後は、再度開放状態に第１及び第２遮光幕６２，６３を駆動させる(カメラのシステムにより必ずしも開放状態に戻す必要はない)。
【００８８】
このような本絞り装置６０によれば、第２及び第４光学的開口６１ｂ，６５ｃ及び６１ｄ，６５ｅの遮蔽に基づいて、第１及び第２遮光幕６２，６３の退避状態を検知することができ、該検知と同時に駆動パルス信号をOFF（吸引状態）にして省電力化を図ることができる。
【００８９】
さらに、本絞り装置６０によれば、第３及び第５光学的開口６１ｃ，６５ｄ及び６１ｅ，６５ｆの遮蔽に基づいて、第１及び第２遮光幕６２，６３を所定の位置で正確に停止させることができ、より高精度な絞り制御を実現することが可能となる。
【００９０】
次に、本発明の第４実施形態に係る絞り装置ついて、図１６を参照しつつ説明する。図１６は本発明の第４実施形態に係る絞り装置を示す分解斜視図である。
【００９１】
本実施形態の絞り装置７０は、第１実施形態と同様の第１基板７１，遮光幕７２，間隔維持部７３、及び第１実施形態とは異なる第２基板７４，光センサ（フォトリフレクタ）７５を備えた構成となっている。
【００９２】
すなわち、第１基板７１は、第１実施形態の第１基板４１（図１０参照）と同様、第１及び第２光学的開口７１ａ，７１ｂを有する押さえ板である。また、絞り開口７２ａを形成した遮光幕７２、及び矩形枠状体の間隔維持部７３も、第１実施形態の遮光幕４２及び間隔保持部材７３（図１０参照）と同一の構成としてある。
【００９３】
一方、第２基板７４は、帯状電極７４ａと矩形の光学的開口７４ｂを有するが、第１実施形態の如き第２光学的開口４４ｃ（図１０参照）を形成せず、その左下コーナ部７４ｃにも前記帯状電極７４ａが連成してある。また、光センサ７５は、発光部からの光を対象物に反射させて受光するフォトリフレクタを採用しており、該光センサ７５を第１基板７１の第１光学的開口７１ｂに取り付けてある。
【００９４】
このような本実施形態の絞り装置７０では、光を反射する金属製の帯状電極７４ａと、光を反射しない遮光幕７４の黒色艶消し処理とを利用して、一台の光センサ７５で該遮光幕７４の退避状態を検知している。すなわち、遮光幕７４が右側に移動して閉じた状態のときは、光センサ７５の発光が帯状電極７４ａに反射されて再び該光センサ７５に入力されるが、遮光幕７４が左側に退避して開いた状態のときは、光センサ７５の発光が遮光幕７４に遮られ、該遮断に基づいて遮光幕７２の退避状態を検知することができる。この結果、第１実施形態と同様の作用効果を奏しつつ、部品点数の大幅な減少による構成の簡単化を図ることができる。
【００９５】
次に、本発明の第５実施形態に係る絞り装置ついて、図１７，図１８を参照しつつ説明する。図１７は本発明の第５実施形態に係る絞り装置を示す斜視図であり、図１８（ａ），（ｂ）は本絞り装置における遮光幕の位置検知の説明図である。
【００９６】
図１７において、本実施形態に係る絞り装置８０は、第１実施形態に係る絞り装置４０（図１０参照）の変更例であり、第１及び第２基板８１，８４に、その第１及び第２光学的開口８１ａ，８４ｂ及び８１ｂ，８４ｃを通過する光束と異なる光束を通過させる第３光学的開口８１ｃ，８４ｄを更に有する構成としてある。
【００９７】
詳述すると、本実施形態に係る絞り装置８０は、第１基板８１，遮光幕８２，間隔維持部８３，第２基板８４，二つの光センサ（フォトインタラプタ）８５及び８６で構成してある。第１基板８１には、第１実施形態と同様の第１及び第２光学的開口８１ａ，８１ｂに加えて、更に第３光学的開口８１ｃが形成してあり、一方、第２基板８４には、第１実施形態と同様の第１及び第２光学的開口８４ｂ，８４ｃに加えて、更に第３光学的開口８４ｄが形成してある。これら第３光学的開口８１ｃ，８４ｄは、本絞り装置８０を組み立てたときに互いに一致して、第１及び第２基板８１，８４を貫く通過窓を形成する。
【００９８】
また、第１及び第２基板８１，８４の第２光学的開口８１ｂ，８４ｃには、第１実施形態と同様に第１光センサ８５が配設してあることに加え、本実施形態では、第３光学的開口８１ｃ，８４ｄにも、これと同様の第２光センサ８６が配設してある。これら第１及び第２光センサ８５，８６は、それぞれ発光部８５ａ，８６ａと受光部８５ｂ，８６ｂを有している。
【００９９】
なお、小径の絞り開口８２ａを形成した遮光幕８２と、間隔維持部８３とは、第１実施形態と同一の構成となっているので詳細な説明は省略する。
【０１００】
上記構成からなる本実施形態の絞り装置８０では、図１８（ａ）に示すように、遮光幕８２を図中左側に退避させ、第１基板８１の大径の第１光学的開口８１ａを選択した場合は、第１実施形態と同様に、該遮光幕８２によって、第１及び第２基板８１，８４の各第２光学的開口８１ｃ，８４ｄが遮られ、これを第１光センサ８５が検知する。
【０１０１】
一方、図１８（ｂ）に示すように、遮光幕８２を第１基板８１の図中右側に移動させ、該遮光幕８２の小径の絞り開口８２ａを選択した場合は、該遮光幕８２によって、第１及び第２基板８１，８４の各第３光学的開口８１ｃ，８４ｄが遮られ、これを第２光センサ８６が検知する。
【０１０２】
このような本絞り装置８０によれば、遮光幕８２を図中左側に退避させた場合に加え、該遮光幕８２を図中右側、すなわち、該遮光幕８２の小径絞り開口８２ａを選択した場合も、その位置を検知することができ、絞り開口８２ａを正確に制御することができるとともに、第２光センサ８６が遮光幕８２を検知したときに駆動パルス信号を停止し、該遮光幕８２の保持に切り替えることにより省電力化を図ることができる。
【０１０３】
なお、上述した第５実施形態の構成は、遮光幕が一枚の絞り装置に限らず、第２，第３実施形態のように、遮光幕を複数枚有する絞り装置にも適用することができ、必要に応じて種々の組み合わせができることはいうまでもない。
【０１０４】
以上、本発明の第１〜第５実施形態に係る絞り装置について述べたが、本発明はこれらの実施形態に限定されるものではない。例えば、上記実施形態では、いずれも遮光幕が退避したときと、絞りを形成したときとの２点位置を、第２乃至第５光学的開口の通過状態又は遮蔽状態に基づいて検出していたが、これに限定されるものではなく、前記遮光幕のその移動範囲内における所定位置を、該遮光幕による前記第２乃至第５光学的開口の種々の状態変化に基づいて検出することができる。
【０１０５】
また、遮光幕の枚数や該遮光幕を検出するための光学的開口の数も上述した第１〜第５実施形態に係る絞り装置に限定されるものではなく、遮光幕をＮ（Ｎ≧２）枚とした場合は、これら遮光幕を検出するための光学的開口の数を少なくともＮ個以上とすればよい。
【図面の簡単な説明】
【０１０６】
【図１】同図(a),(b) は、デジタルカメラの概略構成を示す図であり、同図(a) はデジタルカメラの前面からの外観を示す斜視図、同図(b) はデジタルカメラ内部の主要部の配置状態を示す斜視図である。
【図２】図１(b) に示すレンズ装置のＡ−Ａ´矢視断面をデジタルカメラの図１(b) の左方から見た図であり、レンズユニット各部の概略の構成を示している。
【図３】同図(a) は、図１(b) に示したレンズ装置をデジタルカメラの図１(b) の背面側から見た拡大斜視図であり、同図(b) はそのシャッタ装置を単独に示す図、同図(c) は撮像素子を単独に示す図である。
【図４】上記シャッタ装置の分解斜視図である。
【図５】同図(a),(b) は、上記シャッタ装置における遮光幕の駆動原理を説明する図である。
【図６】同図(a),(b) は、上記シャッタ装置における遮光幕の駆動原理を説明する図である。
【図７】駆動回路によって生成されて帯状電極に印加される電圧信号列を示す図である。
【図８】前記エレクトレットシャッタの動作を説明する図である。同図(a) は図７において各帯状電極Ａ，Ｂ，Ｃ，Ｄの電圧状態が、図７に示したｔ１の印加電圧の状態に切り替った直後のエレクトレットと帯状電極との対応関係を示している。同図(b) は、上記に続いて図７に示したｔ２の印加電圧の状態に切り替った直後のエレクトレットと駆動電極との対応関係を示している。同図(c) は、上記に続いて図７に示したｔ３の印加電圧の状態に切り替った直後のエレクトレットと帯状電極との対応関係を示し、同図(d) は、同図(c) に続いて図７に示したｔ４の印加電圧の状態に切り替った直後のエレクトレットと帯状電極との対応関係を示している。
【図９】本発明の第１実施形態に係る絞り装置を示す斜視図である。
【図１０】図９に示す本絞り装置の分解斜視図である。
【図１１】同図（ａ），（ｂ）は本絞り装置における遮光幕の位置検知の説明図である。
【図１２】本発明の第２実施形態に係る絞り装置を示す斜視図である。
【図１３】図１２に示す本絞り装置の光センサを省略した分解斜視図である。
【図１４】本発明の第３実施形態に係る絞り装置を示す分解斜視図である。
【図１５】同図（ａ），（ｂ）は本絞り装置における遮光幕の位置検知の説明図である。
【図１６】本発明の第４実施形態に係る絞り装置を示す分解斜視図である。
【図１７】本発明の第５実施形態に係る絞り装置を示す斜視図である。
【図１８】同図（ａ），（ｂ）は本絞り装置における遮光幕の位置検知の説明図である。
【符号の説明】
【０１０７】
１…デジタルカメラ
２…撮影レンズ窓
３…ストロボ照射窓
４…レリーズボタン
５…回路基板
６…電池
７…レンズ装置
８…第１固定鏡枠部
９…第１固定レンズ部
１１…第１移動鏡枠
１２…第１移動レンズ部
１３…第２移動鏡枠
１４…第２移動レンズ部
１５…第３移動鏡枠
１６…第３移動レンズ部
１７…第２固定鏡枠部
１８…第２固定レンズ部
１９…撮像素子
２０…シャッタ位置（絞り位置）
２１…シャッタ装置
２２…光学的開口
２３…退避部
２４…受光面
２５…第１基板
２６…間隔維持部（スペーサ）
２７…遮光幕
２８…第２基板
２９…光学的開口
３１…帯状電極
３２…駆動回路
３３…誘電体（エレクトレット）
３４…パルス発生回路
３５…昇圧回路
３６…位相器
４０…絞り装置
４１…第１基板
４１ａ…第１光学的開口
４１ｂ…第２光学的開口
４２…遮光幕
４２ａ…絞り開口
４３…間隔維持部
４４…第２基板
４４ａ…帯状電極
４４ｂ…第１光学的開口
４４ｃ…第２光学的開口
４５…光センサ（フォトインタラプタ）
４５ａ…発光部
４５ｂ…受光部
５０…絞り装置
５１…第１基板
５１ａ…第１光学的開口
５１ｂ…第２光学的開口
５１ｃ…第３光学的開口
５２…第１間隔維持部
５３…第１遮光幕
５３ａ…絞り開口
５３ｂ…切欠部
５４…第２基板
５４ａ…帯状電極
５４ｂ…第１光学的開口
５４ｃ…第２光学的開口
５４ｄ…第３光学的開口
５５…第２遮光幕
５５ａ…絞り開口
５５ｂ…切欠部
５６…第２間隔維持部
５８Ａ，５８Ｂ，５９Ａ，５９Ｂ…光センサ
６０…絞り装置
６１…第１基板
６１ａ…第１光学的開口
６１ｂ…第２光学的開口
６１ｃ…第３光学的開口
６１ｅ…第４光学的開口
６２…第１遮光幕
６２ａ…切欠部
６３…第２遮光幕
６３ａ…切欠部
６４…間隔維持部
６４Ａ…上下部分
６４Ｂ…突起部
６５…第２基板
６５ａ…帯状電極
６５ｂ…第１光学的開口
６５ｃ…第２光学的開口
６５ｄ…第３光学的開口
６５ｅ…第４光学的開口
６５ｆ…第５光学的開口
６６Ａ，６６Ｂ，６７Ａ，６７Ｂ，６８Ａ，６８Ｂ，６９Ａ，６９Ｂ…光センサ
７０…絞り装置
７１…第１基板
７１ａ…第１光学的開口
７１ｂ…第２光学的開口
７２…遮光幕
７２ａ…絞り開口
７３…間隔維持部
７４…第２基板
７４ａ…帯状電極
７４ｂ…第１光学的開口
７４ｃ…右下コーナ部
７５…光センサ（フォトリフレクタ）
８０…絞り装置
８１…第１基板
８１ａ…第１光学的開口
８１ｂ…第２光学的開口
８１ｃ…第３光学的開口
８２…遮光幕
８２ａ…絞り開口
８３…間隔保持部
８４…第２基板
８５…第１光センサ
８６…第２光センサ
８５ａ，８６ａ…発光部
８５ｂ，８６ｂ…受光部
【図１】
2005309252.tif 000003
【図２】
2005309252.tif 000004
【図３】
2005309252.tif 000005
【図４】
2005309252.tif 000006
【図５】
2005309252.tif 000007
【図６】
2005309252.tif 000008
【図７】
2005309252.tif 000009
【図８】
2005309252.tif 000010
【図９】
2005309252.tif 000011
【図１０】
2005309252.tif 000012
【図１１】
2005309252.tif 000013
【図１２】
2005309252.tif 000014
【図１３】
2005309252.tif 000015
【図１４】
2005309252.tif 000016
【図１５】
2005309252.tif 000017
【図１６】
2005309252.tif 000018
【図１７】
2005309252.tif 000019
【図１８】
2005309252.tif 000020